(57)【要約】  【課題】  分流器の基端部側接続筒部に内嵌め接続される冷媒管の先端開口部を、基端部側接続筒部から所定寸法だけ分流器の内部空間へ突出させることにより、各分流キャピラリに流れる冷媒量の均一化が図れるようにする。  【解決手段】  冷媒を分流器１５によって複数に分流して室外側熱交換器へ流すようにした冷凍サイクルを有する空気調和機であり、冷媒を分流する分流器１５は、基端部側に冷媒管３１が内嵌め接続される基端部側接続筒部１５Ａを有し、先端部側に複数の分流キャピラリ１７、１８が接続される分流側接続部１５Ｂを有し、基端部側接続筒部と分流側接続部との間の中間部には、テーパ部１５Ｃとこのテーパ部に連なる筒状主部１５Ｄとを有して構成されている。そして、基端部側接続筒部に内嵌め接続される冷媒管３１は、それの先端開口部３１Ａを、基端部側接続筒部１５Ａから所定寸法Ｈ２だけ分流器１５の内部空間Ｘへ突出させる構成としている。【選択図】      図５
2007064489.tif 000002
【特許請求の範囲】
【請求項１】
冷媒を分流器によって複数に分流して室外側熱交換器へ流すようにした冷凍サイクルを有する空気調和機において、
冷媒を分流する分流器は、基端部側に冷媒管が内嵌め接続される基端部側接続筒部を有し、先端部側に複数の分流キャピラリが接続される分流側接続部を有し、前記基端部側接続筒部と前記分流側接続部との間の中間部には、テーパ部とこのテーパ部に連なる筒状主部とを有して構成され、
前記基端部側接続筒部に内嵌め接続される冷媒管は、それの先端開口部を前記基端部側接続筒部から所定寸法だけ分流器の内部空間へ突出させる構成としたことを特徴とする空気調和機。
【請求項２】
前記冷媒管の先端開口部は、前記テーパ部の上縁よりも上方位置まで突出させたことを特徴とする請求項１に記載の空気調和機。
【請求項３】
前記冷媒管は、少なくとも前記基端部側接続筒部の近くに直管部分が形成されていることを特徴とする請求項１又は２に記載の空気調和機。
【発明の詳細な説明】
【技術分野】
【０００１】
本発明は、空気調和機に関し、特に冷媒を複数に分流して室外側熱交換器に流すようにした冷凍サイクルを有する空気調和機に関する。
【背景技術】
【０００２】
一般に、この種の空気調和機において、室外側熱交換器の熱交換効率を向上させるために、冷媒を複数に分流して室外側熱交換器へ流す構成の冷凍サイクルが知られており、この冷凍サイクルは、圧縮機、四方弁、室内側熱交換器、流量調整弁、分流器、この分流器により複数に分流された冷媒が流入する室外側熱交換器を有して構成されている（例えば、特許文献１参照）。
【０００３】
ところで、図６に示すように、従来の分流器１は、基端部側に冷媒管２が接続される基端部側接続筒部３を有し、先端部側に複数の分流キャピラリ４、５が接続される分流側接続部６を有し、前記基端部側接続筒部３と分流側接続部６との間の中間部には、テーパ部７とこのテーパ部７に連なる筒状主部８とを有して構成されている。
【０００４】
このように構成された従来の分流器１では、冷凍サイクルの暖房運転時に、冷媒管２から分流器１内に流入する冷媒が、矢印９で示すように、テーパ部７の内壁面７Ａに沿って流れやすいため、分流器１内に流入する冷媒の流れに片寄りが生じ、分流側接続部６に接続された各分流キャピラリ４、５へ流れる冷媒の量を均一化しにくく、分流器１を用いて複数に分流して室外側熱交換器へ流す構成としても、室外側熱交換器の熱交換効率をそれ程高めることができないという課題があった。
【特許文献１】特開平１１−８３２４２号公報
【発明の開示】
【発明が解決しようとする課題】
【０００５】
本発明は、上述の点に鑑みてなされたものであり、分流器の基端部側接続筒部に内嵌め接続される冷媒管の先端開口部を、基端部側接続筒部から所定寸法だけ分流器の内部空間へ突出させることにより、各分流キャピラリに流れる冷媒量の均一化が図れるようにすることを目的としている。
【課題を解決するための手段】
【０００６】
請求項１に記載の発明は、冷媒を分流器によって複数に分流して室外側熱交換器へ流すようにした冷凍サイクルを有する空気調和機において、冷媒を分流する分流器は、基端部側に冷媒管が内嵌め接続される基端部側接続筒部を有し、先端部側に複数の分流キャピラリが接続される分流側接続部を有し、前記基端部側接続筒部と前記分流側接続部との間の中間部には、テーパ部とこのテーパ部に連なる筒状主部とを有して構成され、前記基端部側接続筒部に内嵌め接続される冷媒管は、それの先端開口部を前記基端部側接続筒部から所定寸法だけ分流器の内部空間へ突出させる構成としたことを特徴とする。
【０００７】
請求項２に記載の発明は、請求項１に記載の空気調和機において、前記冷媒管の先端開口部は、前記テーパ部の上縁よりも上方位置まで突出させたことを特徴とする。
【０００８】
請求項３に記載の本発明は、請求項１又は２に記載の空気調和機において、前記冷媒管は、少なくとも前記基端部側接続筒部の近くに直管部分が形成されていることを特徴とする。
【発明の効果】
【０００９】
本発明では、冷凍サイクルの暖房運転時に、冷媒管から分流器内に流入する冷媒は、テーパ部の内壁面に沿って流れることなく、冷媒管の先端開口部から筒状主部内の空間に直接吐出され、その筒状主部内の空間で拡散された後に各分流キャピラリに流れるため、冷媒を複数の分流キャピラリに均一に流すことが可能になり、室外側熱交換器での熱交換効率を良好に維持できる。
【発明を実施するための最良の形態】
【００１０】
本発明の空気調和機は、冷媒を分流器によって複数に分流して室外側熱交換器へ流すようにした冷凍サイクルを有する空気調和機において、冷媒を分流する分流器は、基端部側に冷媒管が接続される基端部側接続筒部を有し、先端部側に複数の分流キャピラリが接続される分流側接続部を有し、前記基端部側接続筒部と前記分流側接続部との間の中間部には、テーパ部とこのテーパ部に連なる筒状主部とを有して構成され、前記基端部側接続筒部に内嵌め接続される冷媒配管は、それの先端開口部を基端部側接続筒部から所定寸法だけ分流器の内部空間へ突出させる構成であり、以下に本発明の実施形態について説明する。
【実施例１】
【００１１】
次に、本発明の実施の形態について説明すると、図１は本発明に係る空気調和機に組み込まれた冷凍サイクルの概念図、図２は本発明に係る空気調和機の室外機の概略平断面、図３は本発明に係る空気調和機に組み込まれた室外側熱交換器の要部斜視図、図４は本発明に係る空気調和機の分流器の組み込み状態を示す要部斜視図、図５は本発明に係る空気調和機に組み込まれた分流器の一部切欠側面図である。
【００１２】
以下、本発明の実施例について図１〜図５に基づき説明すると、図１に示すように、本発明に係る空気調和機に組み込まれた冷凍サイクル１０は、インバータ式の圧縮機１１に、四方弁１２、室内側熱交換器１３、減圧装置の一例としての電動膨張弁１４、分流器１５、複数の分流キャピラリ１７、１８、室外側熱交換器１９、アキュムレータ２０を冷媒配管２１で接続して形成され、冷暖房兼用の冷凍サイクルとなっている。また、この冷凍サイクル１０中、２２、２３はサービスバルブ、２４はモジュレータを示している。
【００１３】
ここで、冷凍サイクル１０の冷房運転時においては、図１の実線矢印で示すように、前記圧縮機１１で圧縮されて吐出した冷媒は、四方弁１２、室外側熱交換器１９、複数の分流キャピラリ１７、１８、分流器１５、電動膨張弁１４、室内側熱交換器１３、四方弁１２及びアキュムレータ２０の順に流れ、圧縮機１１へ戻り、室外側熱交換器１９が凝縮器、室内側熱交換器１３が蒸発器として作用し、室内機が室内を冷房する。
【００１４】
また、冷凍サイクル１０の暖房運転時においては、四方弁１２の流路切換動作によって冷媒の流れ方向が切り換わる。即ち、図１の破線矢印で示すように、圧縮機１１で圧縮されて吐出した冷媒は、四方弁１２、室内側熱交換器１３、電動膨張弁１４、分流器１５、複数の分流キャピラリ１７、１８、室外側熱交換器１９、四方弁１２及びアキュムレータ２０の順に流れ、圧縮機１１へ戻り、室内側熱交換器１３が凝縮器、室外側熱交換器１６が蒸発器として作用して、室内機が室内を暖房する。
【００１５】
前記冷凍サイクル１０の構成部品において、室内側熱交換器１３は空気調和機の室内機に配置され、また、前記圧縮機１１、四方弁１２、電動膨張弁１４、分流器１５、分流キャピラリ１７、１８、室外側熱交換器１９、アキュムレータ２０等は、室外機２５に配置されている。
【００１６】
ここで、図２に示すように、前記室外機２５は、ケーシング２６内を機械室２７と熱交換室２８とに仕切る仕切り板２９が設けられ、前記機械室２７内には、前記圧縮機１１、四方弁１２、電動膨張弁１４、分流器１５、分流キャピラリ１７、１８及びアキュムレータ２０が収容され、一方、前記熱交換室２８内には、前記室外側熱交換器１９が収容されると共に、この室外側熱交換器１９と屋外空気とを熱交換させる室外送風機３０が収容されている。
【００１７】
次に、前記分流器１５について、図３〜図５に基づいて詳述する。前記分流器１５は、図３に示すように、室外側熱交換器１９に近接した状態で垂直方向に立設されている。
【００１８】
そして、この分流器１５は、図４及び図５に示すように、下端部側（基端部側）に冷媒管３１を内嵌して接続した円筒状の基端部側接続筒部１５Ａが設けられ、上端部側（先端部側）に２本の分流キャピラリ１７、１８の一端をそれぞれ接続した分流側接続部１５Ｂが設けられている。
【００１９】
また、分流器１５における前記基端部側接続筒部１５Ａと前記分流側接続部１５Ｂとの間の中間部分には、前記基端部側接続筒部１５Ａに連続して上向きラッパ状に拡大するテーパ部１５Ｃとこのテーパ部１５Ｃに連なり前記分流側接続部１５Ｂに至る円筒状の筒状主部１５Ｄとが設けられており、この分流器１５は、一本の銅パイプを加工して、前記基端部側接続筒部１５Ａ、前記分流側接続部１５Ｂ、テーパ部１５Ｃ及び筒状主部１５Ｄを一体成型したものである。
【００２０】
前記冷媒管３１は、図５に示すように、それの先端開口部３１Ａを、前記前記基端部側接続筒部１５Ａの上縁部から所定寸法Ｈ２だけ分流器１５の内部空間Ｘに突出させており、その突出させた所定寸法Ｈ２は、１５〜３０ｍｍに設定している。更に詳しく説明すると、前記冷媒管３１の先端開口部３１Ａは、前記テーパ部１５Ｃの上縁３２よりも上方位置まで突出させているが、このテーパ部１５Ｃの上縁３２からの突出寸法Ｈ１は５〜２０ｍｍに設定されている。
【００２１】
前記冷媒管３１は、図４に示すように、その下端部が前記電動膨張弁１４に接続された内径が約６〜７ｍｍの冷媒配管２１Ａに接続されており、そして、冷凍サイクル１０の暖房運転時に、前記冷媒配管２１Ａを流れる冷媒が、冷媒管３１で絞られてから分流器１５内に流入するように、その冷媒管３１の内径は、約３〜４ｍｍと前記冷媒配管２１Ａの内径よりも小径のものを用いている。
【００２２】
また、前記冷媒管３１は、その全長に亘って直管状であるが、少なくとも分流器１５の基端部側接続筒部１５Ａの近くに直管部分が所定寸法に亘って形成されていれば良い。
【００２３】
前記分流キャピラリ１７、１８は、その内径が０．５〜１．５ｍｍの細管がそれぞれ使用され、そして、その途中が巻回されており、前記分流器１５の分流側接続部１５Ｂにおいて、それぞれの下端流入口部１７Ａ、１８Ａが、前記分流側接続部１５Ｂよりも１０〜２０ｍｍの長さだけ筒状主部１５Ｄの内部空間へ突出状態で垂下させてある。
【００２４】
上記構成において、冷凍サイクル１０の暖房運転時に、電動膨張弁１４及び冷媒配管２１Ａを通過して冷媒管３１に流れた冷媒（気液混在の冷媒）は、そこで絞られて冷媒管３１の先端開口部３１Ａから直接、分流器１５における筒状主部１５Ｄの内部空間に吐出する。この前記筒状主部１５Ｄの内部空間に直接吐出した冷媒は、テーパ部１５Ｃの影響を受けずにその筒状主部１５Ｄ内で拡散された後、前記分流キャピラリ１７、１８にバランス良く分流され、室外側熱交換器１９に流入する。従って、分流器１５により冷媒を複数の分流キャピラリ１７、１８に均一に流すことが可能になり、室外側熱交換器１９での熱交換効率を良好に維持できる。
【００２５】
また、前記冷媒管３１は、少なくとも分流器１５の基端部側接続筒部１５Ａの近くに直管部分を所定寸法に亘って形成することにより、冷媒が分流器１５の筒状主部１５Ｄの内部空間に吐出する際、筒状主部１５Ｄ内で片側に片寄る冷媒の流れを防止でき、冷媒を一層、バランス良く各分流キャピラリ１７、１８に流すことが可能になる。
【図面の簡単な説明】
【００２６】
【図１】本発明に係る空気調和機に組み込まれた冷凍サイクルの概念図である。
【図２】同じく、空気調和機の室外機の概略平断面である。
【図３】同じく、空気調和機に組み込まれた室外側熱交換器の要部斜視図である。
【図４】同じく、空気調和機の分流器の組み込み状態を示す要部斜視図である。
【図５】同じく、空気調和機に組み込まれた分流器の一部切欠側面図である。
【図６】従来の空気調和機に組み込まれた分流器の一部切欠側面図である。
【符号の説明】
【００２７】
１０      冷凍サイクル
１５      分流器
１５Ａ    基端部側接続筒部
１５Ｂ    分流側接続部
１５Ｃ    テーパ部
１５Ｄ    筒状主部
１７      分流キャピラリ
１８      分流キャピラリ
１９      室外側熱交換器
３１      冷媒管
３１Ａ    冷媒管の先端開口部
３２      テーパ部の上縁
Ｈ      突出寸法
Ｘ      分流器の内部空間
【図１】
2007064489.tif 000003
【図２】
2007064489.tif 000004
【図３】
2007064489.tif 000005
【図４】
2007064489.tif 000006
【図５】
2007064489.tif 000007
【図６】
2007064489.tif 000008